(57)【要約】【課題】従来、ＳＮＳに投稿した記事を用いて、テレビコンテンツを自動的に生成できなかった。【解決手段】１または２以上の各サーバ装置から、ユーザが投函した２以上の投函情報を受信する投函情報受信部と、２以上の各投稿情報が有する静止画または動画または文章に対応する音情報を取得する音情報取得部と、２以上の各投稿情報が有する静止画または動画または文章、および音情報取得部取得した音情報を含む２以上のコンテンツを、順序付けて構成したテレビコンテンツを取得するテレビコンテンツ構成部と、テレビコンテンツを出力するコンテンツ出力部とを具備するコンテンツ生成装置により、ＳＮＳに投稿した記事を用いて、動きのあるコンテンツであるテレビコンテンツを自動的に生成できる。【選択図】図２
2017107404.tif 000002
【特許請求の範囲】
【請求項１】
ユーザを識別するユーザ識別子を受け付ける受付部と、
前記ユーザ識別子を用いて、１または２以上の各サーバ装置から、前記ユーザ識別子で識別されるユーザが投函した記事であり、静止画または動画または文章を含むコンテンツである２以上の投函情報を受信する投函情報受信部と、
音情報を取得する音情報取得部と、
前記２以上の各投稿情報が有する静止画または動画または文章、および前記音情報取得部が取得した音情報を含む２以上のコンテンツを、順序付けて構成したテレビコンテンツを取得するテレビコンテンツ構成部と、
前記テレビコンテンツ構成部が構成したテレビコンテンツを出力するコンテンツ出力部とを具備するコンテンツ生成装置。
【請求項２】
１以上の静止画または１以上の動画が格納される格納部をさらに具備し、
前記テレビコンテンツ構成部は、
前記格納部に格納されている静止画または動画を含む１以上のコンテンツを有するテレビコンテンツを取得する請求項１記載のコンテンツ生成装置。
【請求項３】
前記テレビコンテンツ構成部は、
前記投函情報受信部が受信した投函情報が予め決められた条件を満たす場合のみ、前記格納部に格納されている静止画または動画を含む１以上のコンテンツを有するテレビコンテンツを取得する請求項２記載のコンテンツ生成装置。
【請求項４】
前記音情報取得部は、
投函情報が有する文章から音情報を取得する請求項１から請求項３いずれか一項に記載のコンテンツ生成装置。
【請求項５】
前記受付部は、
ユーザに関する情報であるユーザ情報を受け付け、
前記音情報取得部は、
前記ユーザ情報を含む情報から音情報を取得する請求項１から請求項３いずれか一項に記載のコンテンツ生成装置。
【請求項６】
前記テレビコンテンツ構成部は、
投稿情報に対する第三者の投稿である１以上の第三者投稿情報をも用いて、２以上のコンテンツを、順序付けて構成したテレビコンテンツを取得する請求項１から請求項５いずれか一項に記載のコンテンツ生成装置。
【請求項７】
前記テレビコンテンツ構成部は、
投稿情報に対する第三者の投稿である１以上の第三者投稿情報を用いて、２以上のコンテンツの順序を決定し、当該順序に応じて、２以上のコンテンツを順序付けて構成したテレビコンテンツを取得する請求項６記載のコンテンツ生成装置。
【請求項８】
前記テレビコンテンツ構成部は、
対応する第三者投稿情報の数が閾値より多い２以上の投稿情報を取得し、当該２以上の投稿情報を用いて、２以上のコンテンツを、順序付けて構成したテレビコンテンツを取得する請求項６または請求項７記載のコンテンツ生成装置。
【請求項９】
前記投函情報受信部は、
投稿情報に対応する第三者投稿情報をも受信し、
前記テレビコンテンツ構成部は、
前記第三者投稿情報をも用いて、出力するコンテンツを構成し、当該コンテンツを有するテレビコンテンツを取得する請求項１から請求項８いずれか一項に記載のコンテンツ生成装置。
【請求項１０】
前記テレビコンテンツ構成部は、
１月から１２月の各月の１以上の投函情報から、各月ごとに１以上の投稿情報を選択し、各月ごとに選択した１以上の投稿情報が有する静止画または動画を含むコンテンツを構成し、当該コンテンツを有するテレビコンテンツを取得する請求項１から請求項９いずれか一項に記載のコンテンツ生成装置。
【請求項１１】
前記テレビコンテンツ構成部は、
予め決められた期間の投稿情報であり、前記投函情報受信部が受信した２以上の投稿情報に対して、予め決められた統計処理を行い、当該統計処理の結果を含むコンテンツを構成し、当該コンテンツを有するテレビコンテンツを取得する請求項１から請求項１０いずれか一項に記載のコンテンツ生成装置。
【請求項１２】
前記コンテンツ出力部は、
前記テレビコンテンツ構成部が取得したテレビコンテンツを前記サーバ装置に送信する請求項１から請求項１１いずれか一項に記載のコンテンツ生成装置。
【請求項１３】
受付部、投函情報受信部、音情報取得部、テレビコンテンツ構成部、およびコンテンツ出力部を用いて実行されるコンテンツ生成方法であって、
前記受付部が、ユーザを識別するユーザ識別子を受け付ける受付ステップと、
前記投函情報受信部が、前記ユーザ識別子を用いて、１または２以上の各サーバ装置から、前記ユーザ識別子で識別されるユーザが投函した記事であり、静止画または動画または文章を含むコンテンツである２以上の投函情報を受信する投函情報受信ステップと、
前記音情報取得部が、音情報を取得する音情報取得ステップと、
前記テレビコンテンツ構成部が、前記２以上の各投稿情報が有する静止画または動画または文章、および前記音情報取得ステップで取得された音情報を含む２以上のコンテンツを、順序付けて構成したテレビコンテンツを取得するテレビコンテンツ構成ステップと、
前記コンテンツ出力部が、前記テレビコンテンツ構成ステップで構成されたテレビコンテンツを出力するコンテンツ出力ステップとを具備するコンテンツ生成方法。
【請求項１４】
コンピュータを、
ユーザを識別するユーザ識別子を受け付ける受付部と、
前記ユーザ識別子を用いて、１または２以上の各サーバ装置から、前記ユーザ識別子で識別されるユーザが投函した記事であり、静止画または動画または文章を含むコンテンツである２以上の投函情報を受信する投函情報受信部と、
音情報を取得する音情報取得部と、
前記２以上の各投稿情報が有する静止画または動画または文章、および前記音情報取得部が取得した音情報を含む２以上のコンテンツを、順序付けて構成したテレビコンテンツを取得するテレビコンテンツ構成部と、
前記テレビコンテンツ構成部が構成したテレビコンテンツを出力するコンテンツ出力部として機能させるためのプログラム。
【発明の詳細な説明】
【技術分野】
【０００１】
本発明は、ユーザが投稿した記事等を用いてコンテンツを作成するコンテンツ生成装置等に関するものである。
【背景技術】
【０００２】
従来、多数のユーザが情報を投函するソーシャル・ネットワーク・サービス（ＳＮＳ）が存在した（例えば、非特許文献１参照）。
【先行技術文献】
【非特許文献】
【０００３】
【非特許文献１】ｆａｃｅｂｏｏｋ（登録商標）、［平成２７年１１月２６日検索］、インターネット［URL：https://ja-jp.facebook.com/］
【発明の概要】
【発明が解決しようとする課題】
【０００４】
しかしながら、従来技術においては、自分がＳＮＳ等に投稿した記事等を用いて、動きのあるコンテンツであるテレビコンテンツを自動的に生成できなかった。
【課題を解決するための手段】
【０００５】
本第一の発明のコンテンツ生成装置は、ユーザを識別するユーザ識別子を受け付ける受付部と、ユーザ識別子を用いて、１または２以上の各サーバ装置から、ユーザ識別子で識別されるユーザが投函した記事であり、静止画または動画または文章を含むコンテンツである２以上の投函情報を受信する投函情報受信部と、音情報を取得する音情報取得部と、２以上の各投稿情報が有する静止画または動画または文章、および音情報取得部が取得した音情報を含む２以上のコンテンツを、順序付けて構成したテレビコンテンツを取得するテレビコンテンツ構成部と、テレビコンテンツ構成部が構成したテレビコンテンツを出力するコンテンツ出力部とを具備するコンテンツ生成装置である。
【０００６】
かかる構成により、自分がＳＮＳ等に投稿した記事を用いて、動きのあるコンテンツであるテレビコンテンツを自動的に生成できる。
【０００７】
また、本第二の発明のコンテンツ生成装置は、第一の発明に対して、１以上の静止画または１以上の動画が格納される格納部をさらに具備し、テレビコンテンツ構成部は、格納部に格納されている静止画または動画を含む１以上のコンテンツを有するテレビコンテンツを取得するコンテンツ生成装置である。
【０００８】
かかる構成により、ローカルに格納されているコンテンツをも用いて、動きのあるコンテンツであるテレビコンテンツを自動的に生成できる。
【０００９】
また、本第三の発明のコンテンツ生成装置は、第二の発明に対して、テレビコンテンツ構成部は、投函情報受信部が受信した投函情報が予め決められた条件を満たす場合のみ、格納部に格納されている静止画または動画を含む１以上のコンテンツを有するテレビコンテンツを取得するコンテンツ生成装置である。
【００１０】
かかる構成により、ローカルに格納されているコンテンツを適切に用いて、動きのあるコンテンツであるテレビコンテンツを自動的に生成できる。
【００１１】
また、本第四の発明のコンテンツ生成装置は、第一から第三いずれか１つの発明に対して、音情報取得部は、投函情報が有する文章から音情報を取得するコンテンツ生成装置である。
【００１２】
かかる構成により、自分がＳＮＳ等に投稿した記事の中の文章から作成された音情報を含むテレビコンテンツを自動的に生成できる。
【００１３】
また、本第五の発明のコンテンツ生成装置は、第一から第三いずれか１つの発明に対して、受付部は、ユーザに関する情報であるユーザ情報を受け付け、音情報取得部は、ユーザ情報を含む情報から音情報を取得するコンテンツ生成装置である。
【００１４】
かかる構成により、ＳＮＳ等に投稿したユーザの情報を有する音情報を含むテレビコンテンツを自動的に生成できる。
【００１５】
また、本第六の発明のコンテンツ生成装置は、第一から第五いずれか１つの発明に対して、テレビコンテンツ構成部は、投稿情報に対する第三者の投稿である１以上の第三者投稿情報をも用いて、２以上のコンテンツを、順序付けて構成したテレビコンテンツを取得するコンテンツ生成装置である。
【００１６】
かかる構成により、自分がＳＮＳ等に投稿した記事に対する第三者の入力を用いて、テレビコンテンツを自動的に生成できる。
【００１７】
また、本第七の発明のコンテンツ生成装置は、第六の発明に対して、テレビコンテンツ構成部は、投稿情報に対する第三者の投稿である１以上の第三者投稿情報を用いて、２以上のコンテンツの順序を決定し、順序に応じて、２以上のコンテンツを順序付けて構成したテレビコンテンツを取得するコンテンツ生成装置である。
【００１８】
かかる構成により、自分がＳＮＳ等に投稿した記事に対する第三者の入力を用いて、出力順序が決定されたテレビコンテンツを自動的に生成できる。
【００１９】
また、本第八の発明のコンテンツ生成装置は、第六または第七の発明に対して、テレビコンテンツ構成部は、対応する第三者投稿情報の数が閾値より多い２以上の投稿情報を取得し、２以上の投稿情報を用いて、２以上のコンテンツを、順序付けて構成したテレビコンテンツを取得するコンテンツ生成装置である。
【００２０】
かかる構成により、自分がＳＮＳ等に投稿した記事に対する第三者の入力を用いて、抽出されたコンテンツを含むテレビコンテンツを自動的に生成できる。
【００２１】
また、本第九の発明のコンテンツ生成装置は、第一から第八いずれか１つの発明に対して、投函情報受信部は、投稿情報に対応する第三者投稿情報をも受信し、テレビコンテンツ構成部は、第三者投稿情報をも用いて、出力するコンテンツを構成し、コンテンツを有するテレビコンテンツを取得するコンテンツ生成装置である。
【００２２】
かかる構成により、自分がＳＮＳ等に投稿した記事に対する第三者の入力を含むテレビコンテンツを自動的に生成できる。
【００２３】
また、本第十の発明のコンテンツ生成装置は、第一から第九いずれか１つの発明に対して、テレビコンテンツ構成部は、１月から１２月の各月の１以上の投函情報から、各月ごとに１以上の投稿情報を選択し、各月ごとに選択した１以上の投稿情報が有する静止画または動画を含むコンテンツを構成し、コンテンツを有するテレビコンテンツを取得するコンテンツ生成装置である。
【００２４】
かかる構成により、自分がＳＮＳ等に投稿した記事を用いて、１年を総括するコンテンツを含むテレビコンテンツを自動的に生成できる。
【００２５】
また、本第十一の発明のコンテンツ生成装置は、第一から第十いずれか１つの発明に対して、テレビコンテンツ構成部は、予め決められた期間の投稿情報であり、投函情報受信部が受信した２以上の投稿情報に対して、予め決められた統計処理を行い、統計処理の結果を含むコンテンツを構成し、コンテンツを有するテレビコンテンツを取得するコンテンツ生成装置である。
【００２６】
かかる構成により、自分がＳＮＳ等に投稿した記事を統計処理した結果を有するコンテンツを含むテレビコンテンツを自動的に生成できる。
【００２７】
また、本第十二の発明のコンテンツ生成装置は、第一から第十一いずれか１つの発明に対して、コンテンツ出力部は、テレビコンテンツ構成部が取得したテレビコンテンツをサーバ装置に送信するコンテンツ生成装置である。
【００２８】
かかる構成により、自分がＳＮＳ等に投稿した記事を用いて作成したテレビコンテンツをＳＮＳに自動投稿できる。
【００２９】
また、本第十三の発明のコンテンツ生成装置は、第十二の発明に対して、投函情報受信部は、送信されたテレビコンテンツに対応する第三者投稿情報をも受信し、テレビコンテンツ構成部は、テレビコンテンツに対応する第三者投稿情報をも用いて、テレビコンテンツを取得するコンテンツ生成装置である。
【００３０】
かかる構成により、テレビコンテンツに対する第三者の入力を、今後のテレビコンテンツの作成に生かすことができる。
【発明の効果】
【００３１】
本発明によるコンテンツ生成装置によれば、自分がＳＮＳ等に投稿した記事等を用いて、動きのあるコンテンツであるテレビコンテンツを自動的に生成できる。
【図面の簡単な説明】
【００３２】
【図１】実施の形態１における情報システムＡの概念図
【図２】同情報システムＡのブロック図
【図３】同コンテンツ生成装置１の動作例について説明するフローチャート
【図４】同投稿情報等フィルタリング処理について説明するフローチャート
【図５】同年間要約テレビコンテンツ生成処理について説明するフローチャート
【図６】同統計処理テレビコンテンツ生成処理について説明するフローチャート
【図７】同一般場面テレビコンテンツ生成処理について説明するフローチャート
【図８】同キャラクタ管理表を示す図
【図９】同年間要約テレビコンテンツの一場面を示す図
【図１０】同統計処理テレビコンテンツの一場面を示す図
【図１１】同一般場面テレビコンテンツの一場面を示す図
【図１２】実施の形態２における情報システムＢの概念図
【図１３】同情報システムＢのブロック図
【図１４】上記実施の形態におけるコンピュータシステムの概観図
【図１５】同コンピュータシステムのブロック図
【発明を実施するための形態】
【００３３】
以下、コンテンツ生成装置等の実施形態について図面を参照して説明する。なお、実施の形態において同じ符号を付した構成要素は同様の動作を行うので、再度の説明を省略する場合がある。
【００３４】
（実施の形態１）
本実施の形態において、１または２以上のＳＮＳ等に投稿した記事から、静止画または動作または文章であるコンテンツを含む２以上のユーザの投稿記事を取得し、２以上のコンテンツを順次、出力できると共に、音声出力できるテレビコンテンツを作成するコンテンツ生成装置について説明する。
【００３５】
また、本実施の形態において、コンテンツ生成装置に格納されている静止画または動画をも用いてテレビコンテンツを作成するコンテンツ生成装置について説明する。
【００３６】
また、本実施の形態において、ＳＮＳ等への投稿記事が予め決められた条件を満たす場合に、コンテンツ生成装置に格納されている静止画または動画をも用いてテレビコンテンツを作成するコンテンツ生成装置について説明する。
【００３７】
また、本実施の形態において、ＳＮＳ等への投稿記事に対する第三者からの入力を用いて、投稿記事をフィルタリングしたり、選択したりして、テレビコンテンツを作成するコンテンツ生成装置について説明する。
【００３８】
また、本実施の形態において、ＳＮＳ等への投稿記事に対する第三者からの入力をも含むテレビコンテンツを作成するコンテンツ生成装置について説明する。
【００３９】
また、本実施の形態において、１月から１２月の各月に投稿した静止画または動画を含むテレビコンテンツを作成するコンテンツ生成装置について説明する。
【００４０】
また、本実施の形態において、ＳＮＳ等への１以上の投稿記事に対して統計処理を行い、処理結果を含むテレビコンテンツを作成するコンテンツ生成装置について説明する。
【００４１】
また、本実施の形態において、作成したテレビコンテンツをＳＮＳ等に自動投稿するコンテンツ生成装置について説明する。
【００４２】
さらに、本実施の形態において、テレビコンテンツに対する第三者からの投稿記事を、今後の投稿記事の選択のため等に用いるコンテンツ生成装置について説明する。
【００４３】
図１は、本実施の形態における情報システムＡの概念図である。情報システムＡは、コンテンツ生成装置１、１または２以上のサーバ装置２を備える。
【００４４】
コンテンツ生成装置１は、ここでは、例えば、ユーザの端末である。コンテンツ生成装置１は、例えば、スマートフォン、タブレット端末、携帯電話、パーソナルコンピュータ等であり、その種類は問わない。なお、実施の形態２で説明するように、コンテンツ生成装置１は、例えば、ユーザの端末装置からデータや指示等を受信するサーバでも良い。
【００４５】
サーバ装置２は、ユーザが投稿する記事が格納されるサーバである。サーバ装置２は、通常、ＳＮＳサーバであり、例えば、ｆａｃｅｂｏｏｋ（登録商標）のサーバ、インスタグラム（登録商標）のサーバ、Ｔｗｉｔｔｅｒ（登録商標）のサーバ、ＬＩＮＥ（登録商標）のサーバ等である。また、ここでのＳＮＳサーバは、ＣＧＭを管理する装置である、と言っても良い。ＳＮＳサーバは、例えば、ＹｏｕＴｕｂｅ（登録商標）のサーバ、ニコニコ動画（登録商標）のサーバ等でも良い。なお、サーバ装置２は、ユーザが投稿する情報（ＣＧＭと言っても良い）を格納している装置であれば、その種類は問わない。また、ＣＧＭとは、Consumer Generated Media（コンシューマー・ジェネレイテッド・メディア）の略である。ＣＧＭを管理する装置は、例えば、口コミサイト、ナレッジコミュニティ、ソーシャル・ネットワーキング・サービス(SNS)、動画共有サービス、ブログポータル、BBSポータル、COI(Community Of interest)サイト等である。
【００４６】
図２は、本実施の形態における情報システムＡのブロック図である。情報システムＡを構成するコンテンツ生成装置１は、格納部１１、受付部１２、受信部１３、処理部１４、出力部１５、送信部１６を備える。
【００４７】
受信部１３は、投函情報受信部１３１を備える。処理部１４は、音情報取得部１４１、テレビコンテンツ構成部１４２を備える。出力部１５は、コンテンツ出力部１５１を備える。
【００４８】
サーバ装置２は、サーバ格納部２１、サーバ受信部２２、サーバ処理部２３、サーバ送信部２４を備える。
【００４９】
コンテンツ生成装置１を構成する格納部１１は、各種の情報が格納される。各種の情報とは、例えば、１以上の静止画または１以上の動画である。１以上の静止画または１以上の動画は、ユーザが撮影した写真または動画であることは好適である。なお、コンテンツ生成装置１は、写真または動画の撮影機能を有することは好適である。また、動画は、音声付きでも良い。また、各種の情報とは、例えば、ユーザを識別するユーザ識別子である。ユーザ識別子は、例えば、サーバ装置２にアクセスするためのユーザＩＤ、メールアドレス、コンテンツ生成装置１のＩＰアドレス、ＭＡＣアドレス等である。ユーザ識別子の種類は問わない。また、各種の情報とは、例えば、ユーザ情報である。ユーザ情報は、ユーザに関する情報である。ユーザ情報は、例えば、氏名、ニックネーム、所属等である。また、各種の情報とは、例えば、テレビコンテンツを構成する元になる情報である元情報である。元情報は、例えば、出力される音情報である。また、元情報は、例えば、音情報を構成する雛形となる文字列のデータである。また、元情報は、例えば、テレビコンテンツを構成するコンテンツの中のキャラクタである。キャラクタは、静止画でも動画でも良い。また、各種の情報とは、例えば、１または２以上の各サーバ装置２に対応するユーザ識別子である。なお、ユーザ識別子は、通常、サーバ装置２にアクセスするための情報であるアクセス情報とともに格納される。アクセス情報とは、例えば、サーバ装置２にアクセスするためのＡＰＩ（関数）、ＵＲＬ、ＩＰアドレス等である。
【００５０】
格納部１１は、不揮発性の記録媒体が好適であるが、揮発性の記録媒体でも実現可能である。格納部１１に情報が記憶される過程は問わない。例えば、記録媒体を介して情報が格納部１１で記憶されるようになってもよく、通信回線等を介して送信された情報が格納部１１で記憶されるようになってもよく、あるいは、入力デバイスを介して入力された情報が格納部１１で記憶されるようになってもよい。
【００５１】
受付部１２は、各種の指示や情報等を受け付ける。各種の指示や情報等とは、例えば、ユーザ識別子である。受付部１２は、アクセスするサーバ装置２ごとに異なる２以上のユーザ識別子を受け付けても良い。各種の指示や情報等とは、例えば、ユーザ情報である。各種の指示や情報等とは、例えば、テレビコンテンツ生成指示である。テレビコンテンツ生成指示とは、テレビコンテンツの生成の指示であり、通常、ユーザ識別子を有する。各種の指示や情報等とは、例えば、投稿情報、後述する第三者投稿情報等でも良い。
【００５２】
ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００５３】
ユーザ識別子等の入力手段は、タッチパネルやキーボードやマウスやメニュー画面や音声入力によるもの等、何でも良い。受付部１２は、タッチパネルやキーボード等の入力手段のデバイスドライバーや、メニュー画面の制御ソフトウェア等で実現され得る。
【００５４】
受信部１３は、各種の情報を受信する。各種の情報とは、例えば、後述する投函情報等である。
【００５５】
受信部１３は、通常、無線または有線の通信手段で実現されるが、放送を受信する手段で実現されても良い。
【００５６】
投函情報受信部１３１は、ユーザ識別子を用いて、１または２以上の各サーバ装置２から、２以上の投函情報等を受信する。投函情報等とは、投函情報だけでも良いし、投函情報と当該投函情報に対する１以上の第三者投稿情報とを含む情報でも良い。また、投函情報等は、ユーザの写真や属性情報（例えば、氏名、年齢、住所、出身地、出身学校等）を含んでも良い。投函情報は、受付部１２が受け付けたユーザ識別子で識別されるユーザが投函した記事である。投函情報は、静止画または動画または文章を含むコンテンツである。投函情報は、静止画、動画、文章のうち、２種類以上の情報を含んでも良い。
【００５７】
第三者投稿情報とは、ユーザ識別子で識別されるユーザではない、他のユーザが投稿した記事である。第三者投稿情報とは、ユーザ識別子で識別されるユーザと所定の関係（例えば、友達関係）があるユーザが、投稿情報に対して投稿したコンテンツである。第三者投稿情報は、ｆａｃｅｂｏｏｋの「いいね」ボタンを押下したことを示す情報でも良い。また、第三者投稿情報は、Ｔｗｉｔｔｅｒのフォローでも良い。ここで、コンテンツとは情報であり、そのデータ構造は問わない。
【００５８】
投函情報受信部１３１は、送信されたテレビコンテンツに対応する第三者投稿情報をも受信しても良い。
【００５９】
投函情報受信部１３１は、通常、無線または有線の通信手段で実現されるが、放送を受信する手段で実現されても良い。
【００６０】
処理部１４は、各種の処理を行う。各種の処理とは、例えば、音情報取得部１４１、テレビコンテンツ構成部１４２が行う処理である。各種の処理とは、例えば、投稿情報取得指示を構成する処理である。投稿情報取得指示とは、１以上のサーバ装置２から投稿情報等を取得するための指示である。各種の処理とは、例えば、投稿情報等フィルタリング処理である。投稿情報等フィルタリング処理とは、投稿情報等の１以上の属性情報を用いて、テレビコンテンツの構成のために使用する投稿情報等を選別（フィルタリング）する処理である。なお、１以上の属性情報とは、例えば、投稿情報に対する第三者投稿情報に関する情報、投稿情報に関する情報である。第三者投稿情報に関する情報とは、第三者投稿情報の数に関する情報（例えば、第三者投稿情報の数、第三者投稿情報のうちの「いいね」の数、第三者投稿情報のうちの特定データタイプ（例えば、文字列、画像など）の数など）、第三者投稿情報のデータ量等である。投稿情報に関する情報とは、投稿情報のデータ量、投稿情報のデータタイプ等の投稿情報の属性値、投稿情報が有する静止画または動画内に、特定または任意の人が存在すること等である。
【００６１】
処理部１４は、通常、ＭＰＵやメモリ等から実現され得る。処理部１４の処理手順は、通常、ソフトウェアで実現され、当該ソフトウェアはＲＯＭ等の記録媒体に記録されている。但し、ハードウェア（専用回路）で実現しても良い。
【００６２】
音情報取得部１４１は、音情報を取得する。音情報取得部１４１は、通常、２以上の各投稿情報が有する静止画または動画または文章に対応する音情報を取得する。静止画または動画または文章に対応する音情報は、文章を音声合成して取得した音声情報、格納部１１に予め格納されている音声情報、格納部１１に予め格納されている雛形にユーザ情報（例えば、氏名、ニックネーム等）を挿入し、当該挿入後の文章を音声合成して取得した音声情報等である。静止画または動画または文章に対応する音情報は、２以上の投稿情報に共通の音情報でも良い。
【００６３】
音情報取得部１４１は、投函情報が有する文章から音情報を取得する。音情報取得部１４１は、例えば、投函情報が有する文章を音声合成し、音情報を取得する。なお、音情報は、音声情報を含み、楽曲情報などでも良い。
【００６４】
音情報取得部１４１は、ユーザ情報を含む情報から音情報を取得しても良い。音情報取得部１４１は、格納部１１に予め格納されている雛形の文章にユーザ情報を挿入し、当該挿入後の文章を音声合成して音声情報を取得しても良い。
【００６５】
音情報取得部１４１の処理手順は、通常、ソフトウェアで実現され、当該ソフトウェアはＲＯＭ等の記録媒体に記録されている。但し、ハードウェア（専用回路）で実現しても良い。
【００６６】
テレビコンテンツ構成部１４２は、２以上の投稿情報等を用いて、テレビコンテンツを取得する。なお、テレビコンテンツは、通常、複数の静止画を有する動画を有する。そして、動画を構成する静止画を含む情報を、テレビコンテンツを構成するコンテンツと言う。また、テレビコンテンツは、音声を含んでも良いことは言うまでもない。
【００６７】
テレビコンテンツ構成部１４２は、２以上のコンテンツを、順序付けて構成したテレビコンテンツを取得する。テレビコンテンツ構成部１４２は、２以上のテレビコンテンツを結合し、テレビコンテンツを取得しても良い。テレビコンテンツを構成するコンテンツは、投函情報受信部１３１が受信した２以上の各投稿情報が有する静止画または動画または文章を有する。また、テレビコンテンツを構成するコンテンツは、通常、音情報を有する。また、テレビコンテンツを構成するコンテンツは、一の投稿記事に対応しており、当該一の投稿記事を用いて作成された情報であることは好適である。ただし、テレビコンテンツを構成するコンテンツは、複数の投稿記事を用いて作成された情報であっても良い。なお、音情報は、投稿情報が有する静止画または動画または文章に対応する音情報である。
【００６８】
さらに詳細には、テレビコンテンツ構成部１４２は、投函情報受信部１３１が受信した２以上の投稿情報等を取得する。次に、テレビコンテンツ構成部１４２は、２以上の投稿情報等から、２以上のコンテンツを取得する。２以上のコンテンツは、出力順序を有する。投稿情報からコンテンツを取得するアルゴリズムの例については後述する。
【００６９】
テレビコンテンツ構成部１４２は、格納部１１に格納されている静止画または動画を含む１以上のコンテンツを有するテレビコンテンツを取得しても良い。テレビコンテンツ構成部１４２は、投函情報受信部１３１が受信した投函情報等が予め決められた条件を満たす場合のみ、格納部１１に格納されている静止画または動画を含む１以上のコンテンツを有するテレビコンテンツを取得することは好適である。ここで、予め決められた条件とは、例えば、投稿情報等が受信されていないこと、所定の期間（例えば、２０１５年１１月の間）の投稿情報等が受信されていないこと等である。
【００７０】
テレビコンテンツ構成部１４２は、１以上の第三者投稿情報をも用いて、２以上のコンテンツを順序付けて構成したテレビコンテンツを取得することは好適である。なお、第三者投稿情報は、投稿情報に対する第三者の投稿である。
【００７１】
例えば、テレビコンテンツ構成部１４２は、投稿情報に対する１以上の第三者投稿情報を用いて、２以上のコンテンツの順序を決定し、順序に応じて、２以上のコンテンツを順序付けて構成したテレビコンテンツを取得することは好適である。
【００７２】
例えば、テレビコンテンツ構成部１４２は、対応する第三者投稿情報の数が閾値より多い２以上の投稿情報を取得し、２以上の投稿情報を用いて、２以上のコンテンツを、順序付けて構成したテレビコンテンツを取得する。テレビコンテンツ構成部１４２は、第三者投稿情報の数が多い順に、投稿情報を順序付けし、当該順位付けに応じて、投稿情報に対応するコンテンツを順序付けして、テレビコンテンツを構成することは好適である。
【００７３】
テレビコンテンツ構成部１４２は、第三者投稿情報をも用いて、出力するコンテンツを構成し、コンテンツを有するテレビコンテンツを取得することは好適である。ここで、「第三者投稿情報をも用いて」とは、（１）第三者投稿情報の数が多い順に投稿情報をソートし、当該順序に応じてコンテンツ（投稿情報を用いて作成されたコンテンツ）の順序を決定すること、（２）第三者投稿情報のうちの「いいね」の数が多い順に投稿情報をソートし、当該順序に応じてコンテンツの順序を決定すること、（３）第三者投稿情報の数が閾値以上の投稿情報等のみを用いて、テレビコンテンツを構成すること、（４）第三者投稿情報を投稿したユーザの情報（例えば、氏名など）をも含むコンテンツを構成すること、等である。
【００７４】
テレビコンテンツ構成部１４２は、例えば、ある年（例えば、２０１５年）の１月から１２月の各月の１以上の投函情報から、各月ごとに１以上の投稿情報を選択し、各月ごとに選択した１以上の投稿情報が有する静止画または動画を含むコンテンツを構成し、当該コンテンツを有するテレビコンテンツを取得することは好適である。
【００７５】
テレビコンテンツ構成部１４２は、予め決められた期間の投稿情報を含む投稿情報等であり、投函情報受信部１３１が受信した２以上の投稿情報等に対して、予め決められた統計処理を行い、統計処理の結果を含むコンテンツを構成し、コンテンツを有するテレビコンテンツを取得する。ここで、統計処理とは、例えば、ある年の中の文章の中に最も出現する用語を取得すること、ある年のすべての投稿情報に対する「いいね」の数を算出すること、ある年のすべての投稿情報の中で、「いいね」の数を用いて、投稿情報をランキングすること等である。但し、統計処理の内容は問わない。
【００７６】
テレビコンテンツ構成部１４２は、テレビコンテンツに対応する第三者投稿情報をも用いて、テレビコンテンツを取得する。
【００７７】
テレビコンテンツ構成部１４２は、通常、ＭＰＵやメモリ等から実現され得る。テレビコンテンツ構成部１４２の処理手順は、通常、ソフトウェアで実現され、当該ソフトウェアはＲＯＭ等の記録媒体に記録されている。但し、ハードウェア（専用回路）で実現しても良い。
【００７８】
出力部１５は、各種の情報を出力する。各種の情報とは、例えば、テレビコンテンツである。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００７９】
また、出力部１５は、ディスプレイやスピーカー等の出力デバイスを含むと考えても含まないと考えても良い。出力部１５は、出力デバイスのドライバーソフトまたは、出力デバイスのドライバーソフトと出力デバイス等で実現され得る。
【００８０】
コンテンツ出力部１５１は、テレビコンテンツ構成部１４２が構成したテレビコンテンツを出力する。コンテンツ出力部１５１は、テレビコンテンツが有する２以上のコンテンツを、順序に従って、出力する。
【００８１】
コンテンツ出力部１５１は、ディスプレイやスピーカー等の出力デバイスを含むと考えても含まないと考えても良い。コンテンツ出力部１５１は、出力デバイスのドライバーソフトまたは、出力デバイスのドライバーソフトと出力デバイス等で実現され得る。
【００８２】
送信部１６は、各種の指示や情報を送信する。各種の指示や情報とは、例えば、投稿情報取得指示、投稿情報、第三者投稿情報、テレビコンテンツである。投稿情報取得指示は、通常、ユーザ識別子を含む指示であり、投稿情報を、サーバ装置２から取得する指示である。
【００８３】
送信部１６は、テレビコンテンツ構成部１４２が取得したテレビコンテンツをサーバ装置２に送信しても良い。ここでの送信は、投稿であり、アップロードと言っても良い。
【００８４】
サーバ装置２を構成するサーバ格納部２１は、１以上の投稿情報が格納されている。投稿情報は、ユーザ識別子に対応付いている。投稿情報は、例えば、当該投稿情報に対する投稿である１以上の第三者投稿情報に対応付いている。なお、サーバ格納部２１の投稿情報は、テレビコンテンツでも良い。
【００８５】
サーバ格納部２１は、不揮発性の記録媒体が好適であるが、揮発性の記録媒体でも実現可能である。
【００８６】
サーバ受信部２２は、各種の指示や情報を受信する。各種の指示や情報とは、例えば、投稿情報取得指示、投稿情報である。
【００８７】
サーバ受信部２２は、通常、無線または有線の通信手段で実現されるが、放送を受信する手段で実現されても良い。
【００８８】
サーバ処理部２３は、各種の処理を行う。各種の処理とは、サーバ受信部２２が受信した投稿情報をサーバ格納部２１に蓄積する処理である。また、各種の処理とは、サーバ受信部２２が受信した投稿情報取得指示に対応する１以上の投稿情報等を、サーバ格納部２１から取得する処理であえる。
【００８９】
サーバ処理部２３は、通常、ＭＰＵやメモリ等から実現され得る。サーバ処理部２３の処理手順は、通常、ソフトウェアで実現され、当該ソフトウェアはＲＯＭ等の記録媒体に記録されている。但し、ハードウェア（専用回路）で実現しても良い。
【００９０】
サーバ送信部２４は、各種の情報を送信する。各種の情報とは、例えば、サーバ処理部２３が取得した１以上の投稿情報等である。
【００９１】
サーバ送信部２４は、通常、無線または有線の通信手段で実現されるが、放送手段で実現されても良い。
【００９２】
次に、情報システムＡの動作について説明する。まず、コンテンツ生成装置１の動作例について、図３のフローチャートを用いて説明する。
【００９３】
（ステップＳ３０１）受付部１２は、テレビコンテンツ生成指示を受け付けたか否かを判断する。テレビコンテンツ生成指示を受け付けた場合はステップＳ３０２に行き、テレビコンテンツ生成指示を受け付けない場合はステップＳ３０１に戻る。
【００９４】
（ステップＳ３０２）処理部１４は、１以上のユーザ識別子を取得する。なお、ユーザ識別子は、ステップＳ３０１で受け付けられたテレビコンテンツ生成指示に含まれていても良いし、格納部１１に格納されていても良い。なお、処理部１４が２以上のユーザ識別子を取得する場合は、２以上のサーバ装置２に対して、投稿情報取得指示が送信される場合である。
【００９５】
（ステップＳ３０３）処理部１４は、１または２以上の投稿情報取得指示を構成する。つまり、処理部１４は、ステップＳ３０２で取得したユーザ識別子を有する投稿情報取得指示を構成する。なお、投稿情報取得指示は、例えば、ユーザ識別子を有するＡＰＩ（関数）であり、サーバ装置２から自分の投稿情報等を取得するためのＡＰＩである。また、処理部１４は、期間の情報である期間情報を有する投稿情報取得指示を構成することは好適である。期間情報は、例えば、「２０１５年」、「２０１５年１月から現在」等である。期間情報は、受信される投稿情報が投稿された時を特定する情報である。
【００９６】
（ステップＳ３０４）送信部１６は、１または２以上の投稿情報取得指示を、投稿情報取得指示に対応するサーバ装置２に送信する。
【００９７】
（ステップＳ３０５）受信部１３は、ステップＳ３０４における投稿情報取得指示の送信に応じて、１または２以上のサーバ装置２から投稿情報等を受信したか否かを判断する。投稿情報等を取得した場合はステップＳ３０６に行き、投稿情報等を取得しない場合はステップＳ３０５に戻る。
【００９８】
（ステップＳ３０６）処理部１４は、投稿情報等フィルタリング処理を行う。投稿情報等フィルタリング処理について、図４のフローチャートを用いて説明する。
【００９９】
（ステップＳ３０７）処理部１４は、ステップＳ３０６で取得した１以上の投稿情報等に対して、ソートの処理を行う。処理部１４は、投稿情報等の属性情報を用いて、１以上の投稿情報等をソートする。ソートに用いる属性情報とは、例えば、第三者投稿情報の数、第三者投稿情報のうちの特定の情報（例えば、「いいね」）の数、投稿情報の投稿時期等である。
【０１００】
（ステップＳ３０８）処理部１４は、年間要約テレビコンテンツ生成処理を行う。年間要約テレビコンテンツ生成処理について、図５のフローチャートを用いて説明する。
【０１０１】
（ステップＳ３０９）処理部１４は、統計処理テレビコンテンツ生成処理を行う。統計処理テレビコンテンツ生成処理について、図６のフローチャートを用いて説明する。
【０１０２】
（ステップＳ３１０）処理部１４は、一般場面テレビコンテンツ生成処理を行う。一般場面テレビコンテンツ生成処理について、図７のフローチャートを用いて説明する。なお、一般場面テレビコンテンツ生成処理とは、一の投稿情報等を用いて構成されるコンテンツであり、最終的に出力されるテレビコンテンツを構成するコンテンツを生成する処理である。
【０１０３】
（ステップＳ３１１）テレビコンテンツ構成部１４２は、出力するテレビコンテンツを構成する。テレビコンテンツ構成部１４２は、例えば、ステップＳ３０８で生成した年間要約テレビコンテンツ、ステップＳ３０９で生成した１以上の統計処理テレビコンテンツ、およびステップＳ３１０で生成した１以上の一般場面テレビコンテンツを、予め決められた順序で繋ぎ合わせ、出力するテレビコンテンツを構成する。テレビコンテンツは、通常、音声付きの動画である。
【０１０４】
（ステップＳ３１２）コンテンツ出力部１５１は、ステップＳ３１１で構成されたテレビコンテンツを出力する。
【０１０５】
（ステップＳ３１３）送信部１６は、ステップＳ３１１で構成されたテレビコンテンツを１以上のサーバ装置２にアップロードする。処理を終了する。
【０１０６】
なお、図３のフローチャートにおいて、テレビコンテンツは、年間要約テレビコンテンツ、統計処理テレビコンテンツ、および一般場面テレビコンテンツを有したが、他のコンテンツを有しても良いし、上記の３つのコンテンツを有さなくても良いことは言うまでもない。つまり、テレビコンテンツが、年間要約テレビコンテンツ、統計処理テレビコンテンツ、および一般場面テレビコンテンツを有することは、テレビコンテンツの例である。
【０１０７】
次に、ステップＳ３０６の投稿情報等フィルタリング処理について、図４のフローチャートを用いて説明する。
【０１０８】
（ステップＳ４０１）処理部１４は、カウンタｉに１を代入する。
【０１０９】
（ステップＳ４０２）処理部１４は、ステップＳ３０５で受信された投稿情報等の中に、ｉ番目の投稿情報等が存在するか否かを判断する。ｉ番目の投稿情報等が存在する場合はステップＳ４０３に行き、ｉ番目の投稿情報等が存在しない場合はステップＳ４０６に行く。
【０１１０】
（ステップＳ４０３）処理部１４は、投稿情報等のフィルタリングに使用する１以上の属性情報を取得する。１以上の属性情報は、例えば、第三者投稿情報の数、第三者投稿情報のうちの「いいね」の数、静止画または動画等の特定のデータタイプのデータを含むか否か等である。
【０１１１】
（ステップＳ４０４）処理部１４は、ステップＳ４０３で取得した１以上の属性情報を、ｉ番目の投稿情報等に対応付けて、一時蓄積する。
【０１１２】
（ステップＳ４０５）処理部１４は、カウンタｉを１、インクリメントする。
【０１１３】
（ステップＳ４０６）処理部１４は、１または２以上の属性情報が予め決められた条件を満たす１以上の投稿情報等を決定する。なお、予め決められた条件とは、例えば、「いいね」の数が上位Ｎ（Ｎは１以上の自然数）件に入っていることである。また、決定とは、予め決められた条件を満たす投稿情報等と予め決められた条件を満たさない投稿情報等とが区別可能であれば良い。
【０１１４】
（ステップＳ４０７）処理部１４は、ステップＳ４０６で取得した１以上の投稿情報等を一時蓄積する。上位処理にリターンする。なお、ここで、一時蓄積とは、ステップＳ４０６で取得した１以上の投稿情報等を残すための処理であれば良い。
【０１１５】
次に、ステップＳ３０８の年間要約テレビコンテンツ生成処理について、図５のフローチャートを用いて説明する。
【０１１６】
（ステップＳ５０１）テレビコンテンツ構成部１４２は、カウンタｉに１を代入する。
【０１１７】
（ステップＳ５０２）テレビコンテンツ構成部１４２は、ｉに対応する月を代表する投稿情報等を取得する。テレビコンテンツ構成部１４２は、例えば、フィルタリングされた投稿情報等の中で、「ｉ月」に投稿された投稿情報を含む投稿情報等であり、例えば、対応する第三者投稿情報が最も多い投稿情報を含む投稿情報等を取得する。また、テレビコンテンツ構成部１４２は、「ｉ月」に投稿された投稿情報等が予め決められた条件を満たす場合、格納部１１に格納された静止画（通常、写真）または動画であり、「ｉ月」に撮影された（「ｉ月」の日付と対応付いている）静止画（通常、写真）または動画を、ｉに対応する月を代表する投稿情報等として取得する。なお、予め決められた条件とは、「ｉ月」に投稿された投稿情報等が存在しないこと、「ｉ月」に投稿された投稿情報等に静止画（通常、写真）または動画を含む投稿情報等が存在しないこと等である。
【０１１８】
（ステップＳ５０３）テレビコンテンツ構成部１４２は、ステップＳ５０２で取得した投稿情報等を用いて、当該投稿情報等が含む投稿情報を有する使用コンテンツを取得する。使用コンテンツは、年間要約テレビコンテンツに含まれる情報であり、投稿情報以外に、例えば、予め決められた条件を満たす（例えば、最もデータ量が多い、最も第三者投稿情報が多い）１以上の第三者投稿情報である。また、使用コンテンツは、音情報を有することは好適である。使用コンテンツに音情報を含む場合、音情報取得部１４１は、音情報を取得する。この音情報は、当該投稿情報等に対応する音情報であることは好適である。また、使用コンテンツは、投稿情報が有する静止画または動画だけでも良い。
【０１１９】
（ステップＳ５０４）テレビコンテンツ構成部１４２は、ｉが１２であるか否かを判断する。ｉが１２である場合はステップＳ５０５に行き、ｉが１２でない場合はステップＳ５０６に行く。
【０１２０】
（ステップＳ５０５）テレビコンテンツ構成部１４２は、カウンタｉを１、インクリメントする。ステップＳ５０２に戻る。
【０１２１】
（ステップＳ５０６）テレビコンテンツ構成部１４２は、ステップＳ５０３で取得された、１月から１２月までの使用コンテンツを含む年間要約テレビコンテンツを構成する。上位処理にリターンする。なお、年間要約テレビコンテンツは、１月から１２月までの各月に投稿された投稿情報の一部または全部を含む動画であり、その構成され方は問わない。また、年間要約テレビコンテンツは、音情報を含むことは好適であるが、含まなくても良い。
【０１２２】
次に、ステップＳ３０９の統計処理テレビコンテンツ生成処理について、図６のフローチャートを用いて説明する。
【０１２３】
（ステップＳ６０１）テレビコンテンツ構成部１４２は、カウンタｉに１を代入する。
【０１２４】
（ステップＳ６０２）テレビコンテンツ構成部１４２は、ｉ番目の統計処理を行うか否かを判断する。ｉ番目の統計処理を行う場合はステップＳ６０３に行き、ｉ番目の統計処理を行わない場合は上位処理にリターンする。なお、行う統計処理は通常、予め決められている。また、ｉ番目の統計処理に対応して、ｉ番目の統計処理テレビコンテンツが生成される。
【０１２５】
（ステップＳ６０３）テレビコンテンツ構成部１４２は、ｉ番目の統計処理の対象の投稿情報等を取得する。ｉ番目の統計処理の対象の投稿情報等は、例えば、受信された全ての投稿情報等、またはフィルタリング処理が行われ、残った投稿情報等である。ここでの投稿情報等は、投稿情報だけでも良いし、第三者投稿情報を含んでも良い。
【０１２６】
（ステップＳ６０４）テレビコンテンツ構成部１４２は、ステップＳ６０３で取得したｉ番目の統計処理の対象の投稿情報等に対して、ｉ番目の統計処理を実行する。統計処理は、例えば、最も数多く出現する用語を決定する処理、「いいね」の数の総和を算出する処理等である。
【０１２７】
（ステップＳ６０５）テレビコンテンツ構成部１４２は、ステップＳ６０４における統計処理結果を含むコンテンツである統計処理テレビコンテンツを構成する。なお、統計処理テレビコンテンツの構成方法は問わない。統計処理テレビコンテンツは、１以上の静止画を有していれば良い。
【０１２８】
（ステップＳ６０６）テレビコンテンツ構成部１４２は、カウンタｉを１、インクリメントする。ステップＳ６０２に戻る。
【０１２９】
次に、ステップＳ３１０の一般場面テレビコンテンツ生成処理について、図７のフローチャートを用いて説明する。
【０１３０】
（ステップＳ７０１）テレビコンテンツ構成部１４２は、カウンタｉに１を代入する。
【０１３１】
（ステップＳ７０２）テレビコンテンツ構成部１４２は、一般場面テレビコンテンツを構成するための、ｉ番目の投稿情報等が存在するか否かを判断する。ｉ番目の投稿情報等が存在する場合はステップＳ７０３に行き、ｉ番目の投稿情報等が存在しない場合は上位処理にリターンする。
【０１３２】
（ステップＳ７０３）テレビコンテンツ構成部１４２は、一般場面テレビコンテンツを構成するための、ｉ番目の投稿情報等を取得する。
【０１３３】
（ステップＳ７０４）音情報取得部１４１は、音情報を取得する。ここで、音情報取得部１４１は、ｉ番目の投稿情報等に対応する音情報を取得することは好適である。ｉ番目の投稿情報等に対応する音情報は、一般場面テレビコンテンツに対応する固定的な音情報でも良い。かかる場合、音情報は、例えば、格納部１１に格納されている。
【０１３４】
（ステップＳ７０５）テレビコンテンツ構成部１４２は、キャラクタを格納部１１から取得する。
【０１３５】
（ステップＳ７０６）テレビコンテンツ構成部１４２は、ステップＳ７０３で取得したｉ番目の投稿情報等、ステップＳ７０４で取得した音情報、ステップＳ７０５で取得したキャラクタを用いて、一般場面テレビコンテンツを構成する。一般場面テレビコンテンツの構成方法は問わない。
【０１３６】
（ステップＳ７０７）テレビコンテンツ構成部１４２は、カウンタｉを１、インクリメントする。ステップ７０２に戻る。
【０１３７】
次に、サーバ装置２の動作について説明する。サーバ装置２のサーバ受信部２２は、投稿情報取得指示を受信する。サーバ処理部２３は、投稿情報取得指示に対応する１または２以上の投稿情報等を、サーバ格納部２１から読み出す。そして、サーバ送信部２４は、読み出された１以上の投稿情報等をコンテンツ生成装置１に送信する。なお、サーバ装置２は、例えば、ｆａｃｅｂｏｏｋ等の、いわゆるＳＮＳサーバであり、サーバ装置２の技術は、公知技術であるので、詳細な説明は省略する。
【０１３８】
以下、本実施の形態における情報システムＡの具体的な動作について説明する。情報システムＡの概念図は図１である。
【０１３９】
今、格納部１１は、図８に示すキャラクタ管理表を格納している。キャラクタ管理表は、１以上のキャラクタを管理する表である。なお、キャラクタは、静止画でも動画でも良い。キャラクタ管理表は、「ＩＤ」「キャラクタ」「使用するコンテンツ」を有するレコードを１以上、格納している。「ＩＤ」はレコードを識別する情報である。「使用するコンテンツ」はキャラクタを使用するコンテンツを特定する情報である。
【０１４０】
かかる状況において、ユーザは、コンテンツ生成装置１に対して、テレビコンテンツ生成指示を入力した、とする。
【０１４１】
次に、受付部１２は、テレビコンテンツ生成指示を受け付ける。なお、テレビコンテンツ生成指示は、期間以上「２０１５年」を有する、とする。
【０１４２】
次に、処理部１４は、１以上のユーザ識別子を取得する。ここでは、処理部１４は、格納部１１に格納されているユーザ識別子「Ｕ０１」を読み出した、とする。そして、処理部１４は、投稿情報取得指示を構成する。ここでの投稿情報取得指示は、ユーザ識別子「Ｕ０１」を有する指示であり、ｆａｃｅｂｏｏｋ（登録商標）のサーバ装置２にアクセスする指示である、とする。また、投稿情報取得指示は、期間情報「２０１５年」を有する、とする。
【０１４３】
次に、送信部１６は、この投稿情報取得指示を、ｆａｃｅｂｏｏｋ（登録商標）のサーバ装置２に送信する。なお、この投稿情報取得指示の送信は、例えば、ユーザ識別子「Ｕ０１」で識別されるユーザの投稿情報等をｆａｃｅｂｏｏｋ（登録商標）のサーバ装置２から取得する関数の実行である。
【０１４４】
次に、ｆａｃｅｂｏｏｋ（登録商標）のサーバ装置２のサーバ受信部２２は、ユーザ識別子「Ｕ０１」と期間情報「２０１５年」とを有する投稿情報取得指示を受信する。
【０１４５】
次に、このサーバ装置２のサーバ処理部２３は、投稿情報取得指示に応じて、サーバ格納部２１に格納されている投稿情報等であり、ユーザ識別子「Ｕ０１」と期間情報「２０１５年」とに合致する１以上の投稿情報等を取得する。なお、かかる処理は公知技術である。
【０１４６】
次に、サーバ送信部２４は、取得された１以上の投稿情報等を、投稿情報取得指示を送信してきたコンテンツ生成装置１に送信する。
【０１４７】
次に、コンテンツ生成装置１の受信部１３は、１以上の投稿情報等を受信する。なお、受信された投稿情報等は、ユーザ識別子「Ｕ０１」で識別されるユーザが２０１５年の間に投稿した記事と、当該記事に対する第三者投稿情報等である。
【０１４８】
次に、処理部１４は、受信された１以上の投稿情報等に対して、投稿情報等フィルタリング処理を行う。つまり、処理部１４は、受信された１以上の各投稿情報等から、各投稿情報等が有する各投稿情報に対する第三者投稿情報の数を取得する。そして、処理部１４は、第三者投稿情報の数が上位３つの投稿情報等を取得する。
【０１４９】
次に、処理部１４は、第三者投稿情報の数をキーに、降順に、３つの投稿情報等をソートする。
【０１５０】
次に、処理部１４は、以下のように年間要約テレビコンテンツ生成処理を行う。つまり、まず、処理部１４は、受信された１以上の投稿情報等を用いて、２０１５年１月から１２月の各月の間に投稿された投稿情報の中で、各月ごとに、静止画または動画を有する投稿情報であり、かつ「いいね」の数が最も多い投稿情報等を決定する。なお、決定された投稿情報等は、各月の代表投稿情報等である。
【０１５１】
次に、テレビコンテンツ構成部１４２は、年間要約テレビコンテンツに対応するキャラクタであり、予め決められたキャラクタである、図８の「ＩＤ＝２」のキャラクタを、キャラクタ管理表（図８）から読み出す。
【０１５２】
そして、音情報取得部１４１は、年間要約テレビコンテンツに対応する文字列と音情報を格納部１１から取得する。この文字列は、「Wow,that was incredible」であり、音情報は、「Wow,that was incredible」を音声出力する音情報である、とする。
【０１５３】
次に、テレビコンテンツ構成部１４２は、各月の代表投稿情報等に含まれる各月の投稿情報が有する静止画または動画を配置した動画であり、取得したキャラクタおよび音情報を有する年間要約テレビコンテンツを構成する。年間要約テレビコンテンツの一場面（一フレーム、一静止画）の例は、図９である。図９の９０１は、キャラクタである。９０２は２０１５年１月の代表投稿情報等が有する投稿情報の中の静止画または動画である。９０３は２０１５年２月の代表投稿情報等が有する投稿情報の中の静止画または動画である。なお、年間要約テレビコンテンツは、文字列「Wow,that was incredible」と、音情報「Wow,that was incredible」をも有する。
【０１５４】
次に、処理部１４は、以下のように統計処理テレビコンテンツ生成処理を行う。処理部１４は、例えば、受信された１以上の投稿情報等に含まれる文章の中に最も頻度高く出現した用語「ラグビー」を取得した、とする。そして、テレビコンテンツ構成部１４２は、年間流行語大賞に対応する文章の雛形「あなたの年間流行語大賞を発表します。年間流行語大賞は、"＄用語"です。」を、格納部１１から読み出す。そして、テレビコンテンツ構成部１４２は、変数「＄用語」に、取得した用語「ラグビー」を代入し、文字列「あなたの年間流行語大賞を発表します。年間流行語大賞は「ラグビー」です。」を構成する。次に、テレビコンテンツ構成部１４２は、当該文字列を音声合成し、音情報「あなたの年間流行語大賞を発表します。年間流行語大賞は「ラグビー」です。」を取得する。そして、次に、テレビコンテンツ構成部１４２は、統計処理テレビコンテンツに対応するキャラクタ（図９の「ＩＤ＝１」のキャラクタ）を読み出す。
【０１５５】
そして、テレビコンテンツ構成部１４２は、文字列「あなたの年間流行語大賞を発表します。年間流行語大賞は「ラグビー」です。」、キャラクタを有する動画を構成し、および当該動画に音情報「あなたの年間流行語大賞を発表します。年間流行語大賞は「ラグビー」です。」を対応付けて、統計処理テレビコンテンツを構成する。かかる統計処理テレビコンテンツの一場面の例は、図１０である。図１０において、キャラクタは１００１である。また、統計処理テレビコンテンツが再生される場合、キャラクタ１００１が「あなたの年間流行語大賞を発表します。年間流行語大賞は「ラグビー」です。」と発声しているように、音声出力される。
【０１５６】
次に、処理部１４は、以下のように、第三者投稿情報の数が上位３つの投稿情報等を用いて、一般場面テレビコンテンツ生成処理を行う。つまり、まず、テレビコンテンツ構成部１４２は、第三者投稿情報の数が最も多い、投稿情報等に含まれる投稿情報が有する静止画または動画を取得する。次に、テレビコンテンツ構成部１４２は、当該投稿情報等が有するユーザの属性情報（氏名など）を取得する。また、テレビコンテンツ構成部１４２は、一般場面テレビコンテンツに対応する音情報、および文字列を格納部１１から取得する。さらに、テレビコンテンツ構成部１４２は、一般場面テレビコンテンツに対応するキャラクタを格納部１１から読み出す。そして、テレビコンテンツ構成部１４２は、投稿情報等に含まれる写真、ユーザの属性情報（氏名など）、文字列、キャラクタ等を有する画面を含む動画、および音情報を含む一般場面テレビコンテンツを構成する。かかる一般場面テレビコンテンツの一場面の例は、図１１である。図１１において、投稿情報等に含まれる写真は１１０１、ユーザの属性情報（氏名など）は１１０２、キャラクタは１１０３である。
【０１５７】
同様に、テレビコンテンツ構成部１４２は、第三者投稿情報の数が２番目の投稿情報等、および３番目の投稿情報等を用いて、２つ目、および３つ目の一般場面テレビコンテンツを構成する。
【０１５８】
次に、テレビコンテンツ構成部１４２は、年間要約テレビコンテンツ、統計処理テレビコンテンツ、および３つの一般場面テレビコンテンツを、予め決められた順序で繋ぎ合わせ、出力するテレビコンテンツを構成する。ここでは、テレビコンテンツ構成部１４２は、３つの一般場面テレビコンテンツ、間要約テレビコンテンツ、統計処理テレビコンテンツの順にコンテンツを連結し、テレビコンテンツを構成した、とする。
【０１５９】
次に、コンテンツ出力部１５１は、構成されたテレビコンテンツを出力する。この出力は、動画の再生と、音声出力である。テレビコンテンツは、例えば、ＭＰ４のビデオコンテンツである。但し、テレビコンテンツのデータ構造、フォーマットは問わない。
【０１６０】
次に、送信部１６は、構成されたテレビコンテンツをｆａｃｅｂｏｏｋのサーバ装置２にアップロードする。
【０１６１】
以上、本実施の形態によれば、自分がＳＮＳ等に投稿した記事等を用いて、動きのあるコンテンツであるテレビコンテンツを自動的に生成できる。なお、動きのあるコンテンツとは、動画である。動きのあるコンテンツは、通常、音情報を含む。
【０１６２】
また、本実施の形態によれば、ローカルに格納されているコンテンツをも用いて、動きのあるコンテンツであるテレビコンテンツを自動的に生成できる。
【０１６３】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、ユーザを識別するユーザ識別子を受け付ける受付部と、前記ユーザ識別子を用いて、１または２以上の各サーバ装置から、前記ユーザ識別子で識別されるユーザが投函した記事であり、静止画または動画または文章を含むコンテンツである２以上の投函情報を受信する投函情報受信部と、音情報を取得する音情報取得部と、前記２以上の各投稿情報が有する静止画または動画または文章、および前記音情報取得部が取得した音情報を含む２以上のコンテンツを、順序付けて構成したテレビコンテンツを取得するテレビコンテンツ構成部と、前記テレビコンテンツ構成部が構成したテレビコンテンツを出力するコンテンツ出力部として機能させるためのプログラムである。
【０１６４】
上記プログラムにおいて、前記テレビコンテンツ構成部は、格納部に格納されている静止画または動画を含む１以上のコンテンツを有するテレビコンテンツを取得するものとして、コンピュータを機能させるプログラムであることは好適である。
【０１６５】
上記プログラムにおいて、前記テレビコンテンツ構成部は、前記投函情報受信部が受信した投函情報が予め決められた条件を満たす場合のみ、格納部に格納されている静止画または動画を含む１以上のコンテンツを有するテレビコンテンツを取得するものとして、コンピュータを機能させるプログラムであることは好適である。
【０１６６】
上記プログラムにおいて、前記音情報取得部は、投函情報が有する文章から音情報を取得するものとして、コンピュータを機能させるプログラムであることは好適である。
【０１６７】
上記プログラムにおいて、前記受付部は、ユーザに関する情報であるユーザ情報を受け付け、前記音情報取得部は、前記ユーザ情報を含む情報から音情報を取得するものとして、コンピュータを機能させるプログラムであることは好適である。
【０１６８】
上記プログラムにおいて、前記テレビコンテンツ構成部は、投稿情報に対する第三者の投稿である１以上の第三者投稿情報をも用いて、２以上のコンテンツを、順序付けて構成したテレビコンテンツを取得するものとして、コンピュータを機能させるプログラムであることは好適である。
【０１６９】
上記プログラムにおいて、前記テレビコンテンツ構成部は、投稿情報に対する第三者の投稿である１以上の第三者投稿情報を用いて、２以上のコンテンツの順序を決定し、当該順序に応じて、２以上のコンテンツを順序付けて構成したテレビコンテンツを取得するものとして、コンピュータを機能させるプログラムであることは好適である。
【０１７０】
上記プログラムにおいて、前記テレビコンテンツ構成部は、対応する第三者投稿情報の数が閾値より多い２以上の投稿情報を取得し、当該２以上の投稿情報を用いて、２以上のコンテンツを、順序付けて構成したテレビコンテンツを取得するものとして、コンピュータを機能させるプログラムであることは好適である。
【０１７１】
上記プログラムにおいて、前記投函情報受信部は、投稿情報に対応する第三者投稿情報をも受信し、前記テレビコンテンツ構成部は、前記第三者投稿情報をも用いて、出力するコンテンツを構成し、当該コンテンツを有するテレビコンテンツを取得するものとして、コンピュータを機能させるプログラムであることは好適である。
【０１７２】
上記プログラムにおいて、前記テレビコンテンツ構成部は、１月から１２月の各月の1以上の投函情報から、各月ごとに１以上の投稿情報を選択し、各月ごとに選択した１以上の投稿情報が有する静止画または動画を含むコンテンツを構成し、当該コンテンツを有するテレビコンテンツを取得するものとして、コンピュータを機能させるプログラムであることは好適である。
【０１７３】
上記プログラムにおいて、前記テレビコンテンツ構成部は、予め決められた期間の投稿情報であり、前記投函情報受信部が受信した２以上の投稿情報に対して、予め決められた統計処理を行い、当該統計処理の結果を含むコンテンツを構成し、当該コンテンツを有するテレビコンテンツを取得するものとして、コンピュータを機能させるプログラムであることは好適である。
【０１７４】
上記プログラムにおいて、前記コンテンツ出力部は、前記テレビコンテンツ構成部が取得したテレビコンテンツを前記サーバ装置に送信するものとして、コンピュータを機能させるプログラムであることは好適である。
【０１７５】
（実施の形態２）
本実施の形態において、実施の形態１との相違点は、コンテンツ生成装置１が端末装置３から受信したテレビコンテンツ生成指示に応じて、テレビコンテンツを生成し、端末装置３に送信する点である。なお、実施の形態１のテレビコンテンツ生成方法と実施の形態２のテレビコンテンツ生成方法とは同様である。
【０１７６】
図１２は、本実施の形態における情報システムＢの概念図である。情報システムＢは、コンテンツ生成装置１、１または２以上のサーバ装置２、１または２以上の端末装置３を備える。ここでのコンテンツ生成装置１は、サーバであり、いわゆるクラウドサーバも含む。コンテンツ生成装置１も種類は問わない。端末装置３は、例えば、スマートフォン、タブレット端末、携帯電話、パーソナルコンピュータ等であり、その種類は問わない。
【０１７７】
図１３は、本実施の形態における情報システムＢのブロック図である。情報システムＢを構成する端末装置３は、端末格納部３１、端末受付部３２、端末処理部３３、端末送信部３４、端末受信部３５、端末出力部３６を備える。
【０１７８】
端末装置３を構成する端末格納部３１は、各種の情報が格納される。各種の情報とは、例えば、１以上の静止画または１以上の動画である。１以上の静止画または１以上の動画は、ユーザが撮影した写真または動画であることは好適である。また、動画は、音声付きでも良い。また、各種の情報とは、例えば、ユーザを識別するユーザ識別子である。ユーザ識別子の種類は問わない。また、各種の情報とは、例えば、ユーザ情報である。ユーザ情報は、ユーザに関する情報である。
【０１７９】
端末格納部３１は、不揮発性の記録媒体が好適であるが、揮発性の記録媒体でも実現可能である。
【０１８０】
端末格納部３１に情報が記憶される過程は問わない。例えば、記録媒体を介して情報が端末格納部３１で記憶されるようになってもよく、通信回線等を介して送信された情報が端末格納部３１で記憶されるようになってもよく、あるいは、入力デバイスを介して入力された情報が端末格納部３１で記憶されるようになってもよい。
【０１８１】
端末受付部３２は、各種の指示や情報等を受け付ける。各種の指示や情報等とは、例えば、テレビコンテンツ生成指示である。テレビコンテンツ生成指示とは、テレビコンテンツの生成の指示であり、通常、ユーザ識別子を有する。
【０１８２】
ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【０１８３】
各種の指示や情報等入力手段は、タッチパネルやキーボードやマウスやメニュー画面によるもの等、何でも良い。端末受付部３２は、タッチパネルやキーボード等の入力手段のデバイスドライバーや、メニュー画面の制御ソフトウェア等で実現され得る。
【０１８４】
端末処理部３３は、各種の処理を行う。各種の処理は、例えば、コンテンツ生成装置１に送信するテレビコンテンツ生成指示を構成する処理である。
【０１８５】
端末処理部３３は、通常、ＭＰＵやメモリ等から実現され得る。端末処理部３３の処理手順は、通常、ソフトウェアで実現され、当該ソフトウェアはＲＯＭ等の記録媒体に記録されている。但し、ハードウェア（専用回路）で実現しても良い。
【０１８６】
端末送信部３４は、各種の情報や指示等を送信する。端末送信部３４は、例えば、コンテンツ生成装置１にテレビコンテンツ生成指示を送信する。
【０１８７】
端末送信部３４は、通常、無線または有線の通信手段で実現されるが、放送手段で実現されても良い。
【０１８８】
端末受信部３５は、各種の情報を受信する。端末受信部３５は、例えば、コンテンツ生成装置１からテレビコンテンツを受信する。
【０１８９】
端末受信部３５は、通常、無線または有線の通信手段で実現されるが、放送を受信する手段で実現されても良い。
【０１９０】
端末出力部３６は、各種の情報を出力する。端末出力部３６は、例えば、端末受信部３５が受信したテレビコンテンツを出力する。
【０１９１】
端末出力部３６は、ディスプレイやスピーカー等の出力デバイスを含むと考えても含まないと考えても良い。端末出力部３６は、出力デバイスのドライバーソフトまたは、出力デバイスのドライバーソフトと出力デバイス等で実現され得る。
【０１９２】
次に、端末装置３の動作について説明する。端末装置３の端末受付部３２は、テレビコンテンツ生成指示を受け付ける。次に、端末処理部３３は、受け付けられたテレビコンテンツ生成指示を用いて、コンテンツ生成装置１に送信するテレビコンテンツ生成指示を構成する。端末送信部３４は、コンテンツ生成装置１に、構成されたテレビコンテンツ生成指示を送信する。次に、テレビコンテンツ生成指示の送信に応じて、端末受信部３５は、コンテンツ生成装置１からテレビコンテンツを受信する。端末出力部３６は、端末受信部３５が受信したテレビコンテンツを出力する。
【０１９３】
以上、本実施の形態によれば、自分がＳＮＳ等に投稿した記事等を用いて、動きのあるコンテンツであるテレビコンテンツを自動的に生成できる。なお、動きのあるコンテンツとは、動画である。動きのあるコンテンツは、通常、音情報を含む。
【０１９４】
また、本実施の形態によれば、ローカルに格納されているコンテンツをも用いて、動きのあるコンテンツであるテレビコンテンツを自動的に生成できる。
【０１９５】
また、図１４は、本明細書で述べたプログラムを実行して、上述した種々の実施の形態のコンテンツ生成装置等を実現するコンピュータの外観を示す。上述の実施の形態は、コンピュータハードウェア及びその上で実行されるコンピュータプログラムで実現され得る。図１４は、このコンピュータシステム３００の概観図であり、図１５は、システム３００のブロック図である。
【０１９６】
図１４において、コンピュータシステム３００は、ＣＤ−ＲＯＭドライブを含むコンピュータ３０１と、キーボード３０２と、マウス３０３と、モニタ３０４、スピーカー３０５とを含む。
【０１９７】
図１５において、コンピュータ３０１は、ＣＤ−ＲＯＭドライブ３０１２、ＭＰＵ３０１３、ＣＤ−ＲＯＭドライブ３０１２とＭＰＵ３０１３とに接続されたバス３０１４、ブートアッププログラム等のプログラムを記憶するためのＲＯＭ３０１５、ＭＰＵ３０１３に接続され、アプリケーションプログラムの命令を一時的に記憶するとともに一時記憶空間を提供するためのＲＡＭ３０１６、アプリケーションプログラム、システムプログラム、及びデータを記憶するためのハードディスク３０１７を含む。ここでは、図示しないが、コンピュータ３０１は、さらに、ＬＡＮへの接続を提供するネットワークカードを含んでも良い。
【０１９８】
コンピュータシステム３００に、上述した実施の形態のコンテンツ生成装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１９９】
プログラムは、コンピュータ３０１に、上述した実施の形態のコンテンツ生成装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２００】
また、上記プログラムを実行するコンピュータは、単数であってもよく、複数であってもよい。すなわち、集中処理を行ってもよく、あるいは分散処理を行ってもよい。
【０２０１】
また、上記各実施の形態において、一の装置に存在する２以上の通信手段（端末情報送信部、端末情報受信部など）は、物理的に一の媒体で実現されても良いことは言うまでもない。
【０２０２】
また、上記各実施の形態において、各処理（各機能）は、単一の装置（システム）によって集中処理されることによって実現されてもよく、あるいは、複数の装置によって分散処理されることによって実現されてもよい。
【０２０３】
本発明は、以上の実施の形態に限定されることなく、種々の変更が可能であり、それらも本発明の範囲内に包含されるものであることは言うまでもない。
【産業上の利用可能性】
【０２０４】
以上のように、本発明にかかるコンテンツ生成装置は、ＳＮＳ等に投稿した記事等を用いて、動きのあるコンテンツであるテレビコンテンツを自動的に生成できるという効果を有し、コンテンツ生成装置等として有用である。
【符号の説明】
【０２０５】
１  コンテンツ生成装置
２  サーバ装置
３  端末装置
１１  格納部
１２  受付部
１３  受信部
１４  処理部
１５  出力部
１６  送信部
２１  サーバ格納部
２２  サーバ受信部
２３  サーバ処理部
２４  サーバ送信部
３１  端末格納部
３２  端末受付部
３３  端末処理部
３４  端末送信部
３５  端末受信部
３６  端末出力部
１３１  投函情報受信部
１４１  音情報取得部
１４２  テレビコンテンツ構成部
１５１  コンテンツ出力部
【図１】
2017107404.tif 000003
【図２】
2017107404.tif 000004
【図３】
2017107404.tif 000005
【図４】
2017107404.tif 000006
【図５】
2017107404.tif 000007
【図６】
2017107404.tif 000008
【図７】
2017107404.tif 000009
【図８】
2017107404.tif 000010
【図９】
2017107404.tif 000011
【図１０】
2017107404.tif 000012
【図１１】
2017107404.tif 000013
【図１２】
2017107404.tif 000014
【図１３】
2017107404.tif 000015
【図１４】
2017107404.tif 000016
【図１５】
2017107404.tif 000017